(57)【要約】【課題】軽度要介護者の入浴に際し介護者の負担を軽減することが可能な補助用具を提供する。【解決手段】浴槽１２内に固定配置された一対の側壁部材１８，１８と、両側壁部材１８，１８間に回動自在に配置された座椅子部材２０とを備えた浴槽内介護用座椅子であって、座椅子部材２０は背もたれ２６と座板２８とを備えており、座板２８は、その前方側を支点として両側壁部材１８，１８間に回動自在に固定されており、水中においては浮力によって座椅子部材２６の座板２８が前方に傾斜し、使用時には使用者の体重によって座板２８が水平方向に回動することを特徴とする浴槽内介護用座椅子１０。【選択図】　　　　図３
2004113432.tif 000002
【特許請求の範囲】
【請求項１】
浴槽内に固定配置された一対の側壁部材と、両側壁部材間に回動自在に配置された座椅子部材とを備えた浴槽内介護用座椅子であって、
上記座椅子部材は背もたれと座板とを備えており、
上記座板は、その前方側を支点として両側壁部材間に回動自在に固定されており、水中においては浮力によって前方に傾斜し、使用時には使用者の体重によって水平方向に回動することを特徴とする浴槽内介護用座椅子。
【請求項２】
浴槽内に固定配置された３以上の側壁部材と、各側壁部材間に回動自在に配置された２以上の座椅子部材とを備えた浴槽内介護用座椅子であって、
上記の各座椅子部材は背もたれと座板とを備えており、
上記の各座板は、それぞれの前方側を支点として各側壁部材間に回動自在に固定されており、水中においては浮力によって前方に傾斜し、使用時には使用者の体重によって水平方向に回動することを特徴とする浴槽内介護用座椅子。
【請求項３】
上記座椅子部材には回転軸が取り付けられており、
当該回転軸の端部が、左右に配置された側壁部材に設けられた軸受に着脱自在に装着されており、
各側壁部材の内面には、それぞれ上記座板の裏面と接するレール部が形成されていることを特徴とする請求項１または２に記載の浴槽内介護用座椅子。
【請求項４】
上記座椅子部材の左右に配置された側壁部材の少なくとも一方の内面には係合部材が設けられており、
この係合部材が上記座椅子部材の一部と当接することにより、当該座椅子部材が所定角度以上に傾斜することが防止されることを特徴とする請求項１〜３の何れかに記載の浴槽内介護用座椅子。
【請求項５】
上記係合部材が、側壁部材の内面に形成されたダボ穴に着脱自在に装着される係合ピンであり、
上記側壁部材の内面には複数のダボ穴が形成されており、
上記係合ピンを装着するダボ穴を選択することによって座椅子部材の傾斜角度を調整可能となしたことを特徴とする請求項４に記載の浴槽内介護用座椅子。
【請求項６】
上記座椅子部材の左右に配置された側壁部材の少なくとも一方には、手摺が取り付けられていることを特徴とする請求項１〜５の何れかに記載の浴槽内介護用座椅子。
【請求項７】
各座椅子部材の間に配置された側壁部材には、左右に分岐した一対の把持部を備えた手摺が取り付けられていることを特徴とする請求項２に記載の浴槽内介護用座椅子。
【発明の詳細な説明】
【０００１】
【発明の属する技術分野】
この発明は浴槽内介護用座椅子に係り、特に、老人や軽度の身体障害者などが通常の浴槽において入浴する際の補助用座椅子に関する。
【０００２】
【従来の技術】
重度の身体障害者や寝たきり老人など、身の回りのことを自ら行うことがほとんどできない者（以下「重度要介護者」）を入浴させる際には大変な労力が介護者に掛かるため、これまでも様々な支援装置や支援施設が開発されている。
例えば、小型の電動クレーンによって重度要介護者を浴槽内に導き入れる装置や、車椅子ごと収納可能な特殊浴槽などが実際に販売されている。
これらの装置類は相当に大掛かりな構造を備えているため高価とならざるを得ないが、重度要介護者の入浴に際し介護者の負担を大きく軽減することが可能となる。
【０００３】
【発明が解決しようとする課題】
これに対し、身の回りのことをある程度行うことができる軽度の身体障害者や老人（以下「軽度要介護者」）の入浴に関しては、これを補助するための用具類がほとんど提供されてこなかったのが現状である。
確かに、軽度要介護者の場合には通常の浴槽を用いて入浴することは可能であるとしても、全体的に筋力が衰えているため浴槽内で座ったり立ったりする際には介護者の手を借りる必要がある。また、湯に浸かっている最中にも水没しないよう常に監視することが不可欠である。
すなわち、軽度要介護者の入浴に際しても、実際には介護者に大きな負担が掛かっており、その負担を軽減するための補助用具の登場が求められていた。
【０００４】
この発明は、このような従来の問題点に鑑みて案出されたものであり、軽度要介護者の入浴に際し介護者の負担を軽減することが可能な補助用具を提供することを目的としている。
【０００５】
【課題を解決するための手段】
上記の目的を達成するため、請求項１に記載した補助用具は、浴槽内に固定配置された一対の側壁部材と、両側壁部材間に回動自在に配置された座椅子部材とを備えた浴槽内介護用座椅子であって、上記座椅子部材は背もたれと座板とを備えており、上記座板は、その前方側を支点として両側壁部材間に回動自在に固定されており、水中においては浮力によって座板が前方に傾斜し、使用時には使用者の体重によって水平方向（後方）に回動することを特徴としている。
【０００６】
この浴槽内介護用座椅子を浴槽内に設置しておけば、軽度要介護者は介護者の助けをほとんど借りることなく、自力で入浴することが可能となる。
まず、座椅子部材に腰掛ける際には傾斜した座板によって臀部が支持されると共に、座椅子部材の浮力がクッションの機能を果たすため、足腰の弱っている要介護者であってもゆっくりと着席することができる。
一旦着席した後は、水平方向に変位した座板、背もたれ、両側壁部材とによって身体が安定的に支持されるため、要介護者が水没することを防止できる。
また、立ち上がる際には、座板の浮力によって臀部が押し上げられるため、要介護者は僅かな力で起立可能となる。
以上の結果、軽度要介護者の入浴に際し介護者の負担を大幅に軽減することが可能となる。
なお、座椅子部材が備えるべき浮力は、要介護者の体重や筋力に応じて適宜設定される。
【０００７】
また、請求項２に記載した補助用具は、浴槽内に固定配置された３以上の側壁部材と、各側壁部材間に回動自在に配置された２以上の座椅子部材とを備えた浴槽内介護用座椅子であって、上記の各座椅子部材は背もたれと座板とを備えており、上記の各座板は、それぞれの前方側を支点として各側壁部材間に回動自在に固定されており、水中においては浮力によって各座椅子部材の座板が前方に傾斜し、使用時には使用者の体重によって水平方向（後方）に回動することを特徴としている。
この場合、浴槽内に多数の座椅子部材を連設することにより、大勢の要介護者を一度に入浴させることが可能となる。
【０００８】
請求項３に記載した浴槽内介護用座椅子は請求項１または２を前提とし、さらに上記座椅子部材に回転軸が取り付けられており、当該回転軸の端部が左右に配置された側壁部材に設けられた軸受に着脱自在に装着されており、各側壁部材の内面にはそれぞれ上記座板の裏面と接するレール部が形成されていることを特徴としている。
この結果、座椅子部材を上記レール部に沿って前方に引き出すことが可能となり、背もたれや座板の裏側を容易に清掃可能となる。
【０００９】
請求項４に記載した浴槽内介護用座椅子は請求項１〜３を前提とし、さらに上記座椅子部材の左右に配置された側壁部材の少なくとも一方の内面には係合部材が設けられており、この係合部材が上記座椅子部材の一部と当接することにより、当該座椅子部材が所定角度以上に傾斜することが防止されることを特徴としている。
この結果、座椅子部材の座板が必要以上に傾斜することを回避できる。
【００１０】
請求項５に記載した浴槽内介護用座椅子は請求項４を前提とし、さらに上記係合部材が側壁部材の内面に形成されたダボ穴に着脱自在に装着される係合ピンであり、上記側壁部材の内面には複数のダボ穴が形成されており、上記係合ピンを装着するダボ穴を選択することによって座椅子部材の傾斜角度を調整可能となしたことを特徴としている。
この結果、要介護者の体重や身長、筋力に応じて座板の傾斜角度を柔軟に変更可能となる。
【００１１】
請求項６に記載した浴槽内介護用座椅子は、請求項１〜５を前提とし、さらに上記座椅子部材の左右に配置された側壁部材の少なくとも一方に手摺が取り付けられていることを特徴としている。
この結果、要介護者の着席時の安全性を高め、自力で入浴（着席）及び起立をすることを助けることができる。
【００１２】
請求項７に記載した浴槽内介護用座椅子は、請求項２を前提とし、さらに各座椅子部材の間に配置された側壁部材には、左右に分岐した一対の把持部を備えた手摺が取り付けられていることを特徴としている。
各座椅子部材間に配置された側壁部材は左右の要介護者によって共用されることとなるが、二股に分岐した把持部を設けることにより、各人が手摺に掴まることが可能となる。
【００１３】
【発明の実施の形態】
図１は、この発明に係る浴槽内介護用座椅子１０の正面図であり、図２は使用状態を示す側面図である。
この浴槽内介護用座椅子１０は、一般的な浴槽１２の壁面１４及び底面１６に接着剤やネジ等を介して固定された一対の側壁部材１８，１８と、両方の側壁部材１８，１８間に回動自在に配置された座椅子部材２０と、各側壁部材１８，１８に固定されたステンレス製の手摺２２とを備えている。
【００１４】
図３は、図２から一方の側壁部材１８及び要介護者（使用者）２４を除いた状態を示す側面図であり、上記座椅子部材２０は、背もたれ２６と座板（シート）２８とを備えている。
座板２８の裏面における中心よりも先端側（前方側）には、ステンレス製の回転軸３０が固定されている。
この回転軸３０の両端部を、図４に示すように、左右の側壁部材１８，１８の内面に形成された軸受凹部３１に嵌挿することにより、座椅子部材２０は側壁部材１８，１８間に回動自在に軸支される。
回転軸３０の裏側には、取っ手３２が取り付けられている。
【００１５】
図５は側壁部材１８，１８間から座椅子部材２０を取り除いた状態を示す正面図であり、図６はその平面図である。
図示の通り、両側壁部材１８，１８の内面における下部間には一対の支持軸３４，３６が装着されている。これらの中、第１の支持軸３４は座板２８の裏面の先端側に配置されると共に、第２の支持軸３６は後端側に配置されている（図３）。
また、各側壁部材１８，１８の内面における後端側上部間には、固定軸３８が装着されている。
さらに、各側壁部材１８，１８の内面の下部には、それぞれステンレス製のレール部３９，３９が突設されている。各レール部３９，３９の裏面は、上記支持軸３４，３６に接している。
【００１６】
座椅子部材２０は、ＦＲＰやアクリル素材等よりなり、内部に空洞が形成されているため浮力に富み、湯の張られた浴槽１２内においては、図３に示す通り前方に傾いた状態となる。
ただし、側壁部材１８，１８の内面間に装着された固定軸３８が背もたれ２６の裏側に形成された張出部４０に当接し、ストッパとして機能するため、座椅子部材２０が所定角度以上に傾斜することはない。
【００１７】
この状態において軽度要介護者２４が座椅子部材２０に腰を下ろすと、図７に示すように、その体重によって座椅子部材２０が底面１６方向に回動し、座板２８の裏面が上記レール部３９，３９に当接する。
この結果、要介護者２４は浴槽１２内において安定的に腰掛けることが可能となり、手摺２２に掴まれば簡単に水没することもなくなる。
また、腰を下ろす際には座椅子部材２０の適度の浮力がクッションとして機能するため、足腰の筋肉が弱っている者であっても介護者の手を借りることなくゆっくりと着席することができる。
さらに、立ち上がる際には、ちょっと腰を浮かすだけで座椅子部材２０の浮力が効いて臀部が押し上げられるため、自力で起立することが可能となる。
【００１８】
側壁部材１８，１８の内面には複数のダボ穴４２が形成されているため、図８に示すように、係合ピン４３を装着することにより、座椅子部材２０の傾斜角度を容易に調整することが可能となる。
例えば、図３のように係合ピン４３を用いないノーマル時における座板２８の傾斜角度を１５度に設定しておき、図８のように１番目のダボ穴４２に係合ピン３８を装着することによって１０度に角度を緩めることができる。また、２番目のダボ穴４２に係合ピン３８を装着させることで、座板２８の傾斜角度を５度に設定することもできる（図示省略）。
この結果、要介護者２４の筋力や体重に応じて座椅子部材２０のクッション効果及び押し上げ力を調節することができる。
【００１９】
清掃時には、図９に示すように、座椅子部材２０をレール部３９，３９に沿って前方に引き出すことができ、座板２８や背もたれ２６の裏側、あるいは浴槽１２の壁面１４や底面１６に溜まった汚れを効果的に除去可能となる。
この場合、まず取っ手３２を回動させることで、回転軸３０の両端に形成された半円状の座金４４と軸受凹部３１間のロックを解除する。
つぎに、取っ手３２をそのまま前に引き出すと、固定軸３０の両端部が側壁部材１８の内面に形成されたガイド溝４５（図４）に沿って移動し、側壁部材１８，１８間から離脱される。
【００２０】
この発明に係る介護用座椅子１０は、図１０に示すように、浴槽１２内に複数連設することができ、大勢の要介護者２４を一度に入浴させることもできる。
この場合、各座椅子部材２０，２０間において一つの側壁部材１８を共用することができるため、設置スペースの節約が可能となる。
なお、共用に係る側壁部材１８に取り付けられた手摺２２については、図示の通り二股に分岐した把持部４６，４６を設けることにより、左右の要介護者２４が同時に掴まれるように構成することが望ましい。
【００２１】
上記した介護用座椅子１０は、側壁部材１８を浴槽１２の側面１４及び底面１６の少なくとも一方に固定するだけで設置できるため、一般的な構造を備えた既設の浴槽内に簡単に後付けできる利点を備えている。
【００２２】
【発明の効果】
この発明に係る浴槽内介護用座椅子を浴槽内に設置しておくことにより、軽度要介護者は自力でもって入浴することが可能となり、また着席時に水没することも有効に防止できる。
このため、軽度要介護者の入浴に際し介護者の負担を大幅に軽減することが可能となる。
【図面の簡単な説明】
【図１】この発明に係る浴槽内介護用座椅子の正面図である。
【図２】上記浴槽内介護用座椅子の使用状態を示す側面図である。
【図３】
図２から一方の側壁部材及び要介護者を除いた状態を示す側面図である。
【図４】側壁部材の内面を示す側面図である。
【図５】側壁部材間から座椅子部材を取り除いた状態を示す正面図である。
【図６】側壁部材間から座椅子部材を取り除いた状態を示す平面図である。
【図７】図２から一方の側壁部材を除いた状態を示す側面図である。
【図８】側壁部材の内面に係合ピンを装着させることにより、座椅子部材の傾斜角度を変更した状態を示す側面図である。
【図９】側壁部材と座椅子部材との係合状態を解除し、座椅子部材を前方に引き出した状態を示す側面図である。
【図１０】浴槽内に複数の介護用座椅子を連設した状態を示す正面図である。
【符号の説明】
１０　浴槽内介護用座椅子
１２　浴槽
１４　壁面
１６　底面
１８　側壁部材
２０　座椅子部材
２２　手摺
２４　要介護者
２６　背もたれ
２８　座板
３０　回転軸
３１　軸受凹部
３２　取っ手
３４　第１の支持軸
３６　第２の支持軸
３８　固定軸
３９　レール部
４０　張出部
４２　ダボ穴
４３　係合ピン
４５　ガイド溝
４６　把持部
【図１】
2004113432.tif 000003
【図２】
2004113432.tif 000004
【図３】
2004113432.tif 000005
【図４】
2004113432.tif 000006
【図５】
2004113432.tif 000007
【図６】
2004113432.tif 000008
【図７】
2004113432.tif 000009
【図８】
2004113432.tif 000010
【図９】
2004113432.tif 000011
【図１０】
2004113432.tif 000012